(57)【要約】【課題】支線に絡みついたかずらを効率的且つ安全に切断し除去することができるようにする。【解決手段】支線に絡み付いたかずらを切断するための切断部材３を具備するかずら除去具１であって、前記切断部材３は、屈曲又は湾曲した形状を有し、異なる方向に延設された２つの延設部４ａ，４ｂのそれぞれの端部に前記支線を受容可能な凹形状の刃部１５ａ，１５ｂが形成され、それぞれの刃部１５ａ，１５ｂは、これが形成される前記延設部４ａ，４ｂの延設方向に対して所定の角度をなす傾斜部を有すると共に、これら両刃部の傾斜部は、同一線上に形成されている。【選択図】図１
2005278408.tif 000002
【特許請求の範囲】
【請求項１】
支線に絡み付いたかずらを切断するための切断部材を具備するかずら除去具であって、
前記切断部材は、屈曲又は湾曲した形状を有し、異なる方向に延設された２つの延設部のそれぞれの端部に前記支線を受容可能な凹形状の刃部が形成され、それぞれの刃部は、これが形成される前記延設部の延設方向に対して所定の角度をなす傾斜部を有すると共に、これら両刃部の傾斜部は、同一線上に形成されていることを特徴とするかずら除去具。
【請求項２】
前記切断部材は、略直角に屈曲された部材からなることを特徴とする請求項１記載のかずら除去具。
【請求項３】
かずらを引掛けるための引掛部材を具備することを特徴とする請求項１又は２記載のかずら除去具。
【請求項４】
前記引掛部材は、支線を挟み込む位置に設けられた少なくとも２本の熊手状の部材であることを特徴とする請求項３記載のかずら除去具。
【請求項５】
鋸状の刃を有する補助切断部材を具備することを特徴とする請求項１〜４のいずれか１つに記載のかずら除去具。
【請求項６】
前記かずら除去具は、棒状部材の先端に着脱自在に連結する連結部材を具備し、該連結部材は、前記棒状部材に直接又は所定のアダプタを介して連結されることを特徴とする請求項１〜５のいずれか１つに記載のかずら除去具。
【発明の詳細な説明】
【技術分野】
【０００１】
本発明は、電柱などを支えるためにその上部から地上へ斜めに張った支線に絡みついたかずらを除去するための道具に関するものである。
【背景技術】
【０００２】
支線に絡みついたかずらを除去するための道具として、所要の長さを持つ杆体の先端に、鎌と鋸とを刃部が互いに外向きとなるように対向させて取り付けた構成よりなるものが開示されている（特許文献１参照）。これにより、高所に巻き付いたかずらを地上からの操作により切り払い、除去することができるとされている。
【０００３】
また、かずら等を伐採する装置として、土工機械のアーム先端に取り付けられ、協動して物体を把持可能な第１及び第２のフォークに、協動して木・竹・草・かずら等を切断する切断刃をそれぞれ着脱自在に取り付けたものが開示されている（特許文献２参照）。これにより、ハサミやペーパーカッターのように閉じる時に切断刃が互いに摺り合いながら交叉するので、安全にかつ簡単に木・竹・草・かずら等を伐採することができるとされている。
【特許文献１】特開平６−７０６６号公報
【特許文献２】特開２００２−３２０４１５号公報
【発明の開示】
【発明が解決しようとする課題】
【０００４】
しかしながら、上記特許文献１記載の道具では、かずらの切断及び除去時に、支線を傷つけたり、鎌や鋸の刃がこぼれたりすることがあり、またこれらの刃物だけでは、切断されたかずらを支線から除去することが困難であるため、多くのかずらが支線に残ってしまうという不具合があった。また、上記特許文献２に開示される装置によっても、支線に絡みついたかずらを除去する作業において、上記不具合が解消されることはない。
【０００５】
そこで、本発明は、支線に絡みついたかずらを効率的且つ安全に切断し除去することができるようにすることを課題とする。
【課題を解決するための手段】
【０００６】
本発明は、上記課題を解決するものであり、支線に絡み付いたかずらを切断するための切断部材を具備するかずら除去具であって、前記切断部材は、屈曲又は湾曲した形状を有し、異なる方向に延設された２つの延設部のそれぞれの端部に前記支線を受容可能な凹形状の刃部が形成され、それぞれの刃部は、これが形成される前記延設部の延設方向に対して所定の角度をなす傾斜部を有すると共に、これら両刃部の傾斜部は、同一線上に形成されていることを特徴とするものである（請求項１）。これにより、前記凹形状の２つの刃部に支線を受容させて前記切断部材を支線に沿って摺動させることにより、支線に絡み付いたかずらを切断することができる。
【０００７】
また、前記切断部材は、略直角に屈曲した部材からなることが好ましい（請求項２）。
【０００８】
また、かずらを引掛けるための引掛部材を具備することが好ましい（請求項３）。
【０００９】
また、前記引掛部材は、支線を挟み込む位置に設けられた少なくとも２本の熊手状の部材であることが好ましい（請求項４）。
【００１０】
また、鋸状の刃を有する補助切断部材を具備することが好ましい（請求項５）。
【００１１】
また、前記かずら除去具は、棒状部材の先端に着脱自在に連結する連結部材を具備し、該連結部材は、前記棒状部材に直接又は所定のアダプタを介して連結されることが好ましい（請求項６）。
【発明の効果】
【００１２】
上記請求項１記載の構成によれば、上記かずら除去具を棒状部材の端部等に固定し、地上から該棒状部材を操作して前記切断部材を支線に沿って摺動させることにより、支線に絡み付いたかずらを効率的且つ安全に切断し除去することができる。また、かずらを切断する刃部が支線に対して大きな角度で当ることがないので、支線を傷つけたり刃こぼれしたりすることが少ない。また、上記請求項２記載のように、前記切断部材の屈曲角度を直角とすることにより、地上からの操作性が良くなる。
【００１３】
上記請求項３及び４記載の構成によれば、切断されたかずらを前記引掛部材に引掛けて支線に沿って容易に引き下げ、若しくは押し上げることができるので、切断後のかずらの始末がしやすくなる。また、支線の上部（約３分の１）にあるかずらは押し上げておけば次第に枯れ、自然に除去される。
【００１４】
上記請求項５記載の構成によれば、太くなったかずらを切断する場合に便利である。
【００１５】
上記請求項６記載の構成によれば、前記かずら除去具を様々なタイプの棒状部材に対して連結させることができる。
【発明を実施するための最良の形態】
【００１６】
以下、添付した図面を参照しながら本発明の実施例を説明する。
【実施例１】
【００１７】
図１〜図４に示す本実施例に係るかずら除去具１は、連結部材２、引掛部材３、切断部材４、補助切断部材５を具備して構成され、棒状部材の先端等に固定されて使用される。また、前記各部材２〜５は鉄等の材料により形成される。
【００１８】
前記連結部材２は、板状の部材であり、その下部に連結部１０が形成されている。前記連結部１０は、前記連結部材２の下端部に開口した溝形状のものであり、ボルト及びナット、蝶ねじ、その他の所定の部材を介して、棒状部材の先端に着脱自在に連結するものである。
【００１９】
前記引掛部材３は、２本の熊手状の部材であり、その一端部３ａ（図３、図４参照）が前記連結部材２の上端面２ａに固定され、その先端部３ｂへ向かってやや外方に開きながら略逆Ｕ字状に湾曲した形状となっている。
【００２０】
前記切断部材４は、略９０°に屈曲した部材からなり、異なる方向に延設される２つの延設部４ａ，４ｂ（図１、図２、図４参照）のそれぞれの端部に、凹形状の刃部１５ａ，１５ｂが形成されており、略垂直方向に延設する延設部４ｂの背面部４ｃ（図３、図４参照）が前記引掛部材３に固定されている。前記刃部１５ａ，１５ｂは、図５に示すように、延設部４ａ，４ｂの延設方向Ｄa，Ｄbに対して角度θの傾きを有する傾斜部により構成され、両刃部１５ａ，１５ｂの傾斜部は同一線Ｌ上にある。
【００２１】
前記補助切断部材５は、鋸状の刃２０（図１、図２、図３参照）を有する部材であり、その一端部５ａ（図３参照）が前記連結部材２にねじ２１及び溶接により固定されている。
【００２２】
上記かずら除去具１は、図６及び図７に示すように、棒状部材３０，３１の先端に着脱自在に連結されて使用される。棒状部材３０と前記かずら除去具１との連結は、図６に示すように、所定のアダプタ３５を介してなされてもよいし、図７に示すように、棒状部材３１の先端に設けられた穴に直接螺合するねじ３５ａ等の部材によりなされてもよい。
【００２３】
図８に示すのは、前記棒状部材３０の構成例であり、電力会社の電気工事で一般的に使用されているものである。この棒状部材３０は、絶縁性の道具であり、ロッド部３２、水切り手段３３ａ，３３ｂ、突起部３４を具備して構成されている。所定の長さを有するロッド部３２の中間部分に、傘形状の水切り手段３３ａ，３３ｂが上下して固定されている。また、下部の水切り手段３３ｂを、作業員の安全性を確保する上で上限となる把持位置に設けることにより、水切りとしての作用に加え安全限界表示としての作用を持たせることができる。突起部３４は、棒状部材３０の先端部の外周面に突設された２つの部材である。図９に示すのは、前記アダプタ３５の構成例であり、このアダプタ３５は、胴部３６、嵌合溝３７、蝶ねじ３８、菊座３９を有して構成されている。胴部３６は、その下端部が前記棒状部材３０の先端部を受容可能な径を有する略円筒形状を有し、この下端部に、前記嵌合溝３７が形成されている。該嵌合溝３７は、前記棒状部材３０の先端部に設けられた突起部３４を嵌合可能な形状を有するものである。前記胴部３６の上端部には、蝶ねじ３８及び菊座３９が設けられている。菊座３９は、略円形状の部位であり、その円周に沿って複数の切欠３９ａが形成されている。該菊座３９に前記かずら除去具１の連結部材２の背面を当接させると共に、前記蝶ねじ３８と螺合する突出した螺条部３８ａを前記連結部材２の連結部１０に嵌合させ、前記蝶ねじ３８を螺合させることにより、かずら除去部１をアダプタ３５を介して棒状部材３０に連結させることができる。
【００２４】
そして、図１０に示すように、上記構成のかずら除去具１により支線２５に絡み付いたかずら４０を除去する際には、前記かずら除去具１を支線２５に沿って摺動させる。この時、図１１に示すように、前記切断部材４の刃部１５ａ，１５ｂの凹部に支線２５を受容させ、該刃部１５ａ，１５ｂを支線２５に当接させ、下方又は上方へ摺動させるようにする。これにより、支線２５に絡み付いたかずら４０は、かずら除去具１を下方へ摺動させる際には前記刃部１５ａにより、また上方へ摺動させる際には前記刃部１５ｂにより切断される。そして、図１０に示すように、切断されたかずらは、前記かずら除去具１を下方へ摺動させることにより、前記引掛部材３によりかき集められながら下方へ運ばれ除去される。また、支線２５の上部に位置し引き下げることが困難なかずらは、かずら除去具１を支線２５に沿って押し上げて支線２５の上部へ押し上げてしまうことにより、自然に枯れさせて除去することができる。また、前記切断部材４の刃部１５ａ，１５ｂではスムーズに切断できないような太くなったかずらは、前記補助切断部材５の鋸状の刃２０によりこれを切断した後、前記引掛部材３により引き下げ、又は押し上げれば良い。
【産業上の利用可能性】
【００２５】
以上のように、本発明によれば、支線に絡みついたかずらを効率的且つ安全に切断し除去することができるかずら除去具を提供することができる。
【図面の簡単な説明】
【００２６】
【図１】本発明に係るかずら除去具の構造を示す斜視図である。
【図２】本発明に係るかずら除去具の構造を示す正面図である。
【図３】本発明に係るかずら除去具の構造を示す背面図である。
【図４】本発明に係るかずら除去具の構造を示す側面図である。
【図５】切断部材の構造を示す側面図である。
【図６】かずら除去具を棒状部材に取り付ける際の一例を示す図である。
【図７】かずら除去具を棒状部材に取り付ける際の一例を示す図である。
【図８】棒状部材の構成例を示す図である。
【図９】アダプタの構成例を示す図である。
【図１０】本発明に係るかずら除去具による除去作業を説明するための図である。
【図１１】除去作業時の切断部材と支線の位置関係を説明するための図である。
【符号の説明】
【００２７】
１  かずら除去具
２  連結部材
３  引掛部材
４  切断部材
４ａ，４ｂ  延設部
５  補助切断部材
１０  連結部
１５ａ，１５ｂ  刃部
２０  鋸状の刃
３０，３１  棒状部材
３５  アダプタ
４０  かずら
Ｄa，Ｄb  延設方向
Ｌ  同一線
θ  角度
【図１】
2005278408.tif 000003
【図２】
2005278408.tif 000004
【図３】
2005278408.tif 000005
【図４】
2005278408.tif 000006
【図５】
2005278408.tif 000007
【図６】
2005278408.tif 000008
【図７】
2005278408.tif 000009
【図８】
2005278408.tif 000010
【図９】
2005278408.tif 000011
【図１０】
2005278408.tif 000012
【図１１】
2005278408.tif 000013